(57)【要約】【課題】移動式スプレイ装置の提供。【解決手段】移動使用できる移動式スプレイ装置構造を提供し、ローラーを装着した底座と、座体上に塑性成型された貯水箱を有し、槽体は流線錘状体の中空貯水空間で、頂部に固定凹槽を有し、固定管を挿置して、ファンを設置する。制御パネルは、直接、槽外縁面を被覆し、外観が美しい。槽底部は中空の内凹空間を有し、加圧ポンプと配管を設置し、軟水管により、加圧水をファン前縁のスプレイ装置に連接して、ファンの転動によりスプレイ噴霧を実行する。底座はローラーを有するので、必要に応じて移動できる。【選択図】図２
0003138120.tif 000002
【実用新案登録請求の範囲】
【請求項１】
移動式スプレイ装置構造であって、引水加圧ポンプと管素子、ミクロ霧を生成するファンと、スプレイヘッド、水管連接素子、からなり、その特徴は、貯水箱を主体とし、ローラーを底座上に設置し、底部は中空設計で、前段は貯水槽を形成し、内空間に加圧ポンプと進排水管を設置し、水箱体の頂部背面は凹槽空間を残し、固定素子により固定管を固定し、ファンを装着し、カバーの前縁に直接環環を鎖設し、軟水管によりポンプ出水端と連接し、前記環管面上にスプレイヘッドを等分排列してスプレイ噴射し、ミクロ霧を散布し、ファンと水箱とポンプ等を共に可動底座に設置して、任意の位置でスプレイ噴射使用できることを特徴とする移動式スプレイ装置構造。
【請求項２】
前記貯水箱は通常、硬質のプラスチックスチールで成型され、底部から上向きに徐々に縮小する錘状設計であることを特徴とする請求項１に記載の移動式スプレイ装置構造。
【請求項３】
前記固定管が固定する固定素子はＵ字型であることを特徴とする請求項１に記載の移動式スプレイ装置構造。
【請求項４】
前記ファンを鎖固する固定管は、多辺形状、或いは、独立した定位辺面を有する管形に設計されることを特徴とする請求項１に記載の移動式スプレイ装置構造。
【請求項５】
前記水箱背面頂部は、パネル素子により、直接、頂部の凹槽口縁を覆い、その外観を整えることを特徴とする請求項１に記載の移動式スプレイ装置構造。
【請求項６】
前記水箱頂部は、取っ手を有し、スプレイ装置の移動に便利であることを特徴とする請求項１に記載の移動式スプレイ装置構造。
【請求項７】
前記底座は背側にローラーを有し、前側に脚架を有し、スプレイ装置が平穏に移動でき、省力であることを特徴とする請求項１に記載の移動式スプレイ装置構造。
【考案の詳細な説明】
【技術分野】
【０００１】
本考案は移動式スプレイ装置に関するものであって、スプレイ装置全体を可動式底座上に設置し、貯水箱を主体とし、凹入する上部空間にファンを設置し、底部は加圧ポンプと配管を設置し、スプレイとファンの同体構造を形成し、底座のローラー補助により、スプレイ方向がファンの旋動により調整できるだけでなく、実際の需要に応じて、任意に位置が移動でき、スプレイ操作が便利な移動式スプレイ装置に関する。
【背景技術】
【０００２】
夏は気温が高く、扇風機やクーラーを使用するが、迅速、且つ、効果的に室内温度を快適に制御する要求は満たされない。扇風機やクーラーの風は実際、室内の空気湿度を飛ばし、乾燥させ、乾燥した空気の温度下降効果も理想的でない。ミクロスプレイ機は、加圧スプレイヘッドにより、加圧水分を霧化して、空気を迅速に降温させるので、明らかな冷房効果がある。近年、一般の店舗の周囲には、配管により連結し、霧水と熱空気を結合させた後、適当に冷却して、その冷気を吹送して使用し、冷房空間内の室温が迅速に快適な温度に降下する。しかし、公知のスプレイ装置は通常、複雑な配管とスプレイヘッドを固定しないと、適当なスプレイ操作が行えない。また、配管において、コストが高く、装着技術も複雑で、且つ、大部分は固定式の配管を組み立て、一般の機動式、或いは、臨時的な店舗、或いは、小範囲のスプレイ補助は、実際の使用のおける需要に符合しない。更に、固定式の設計は、コストにおいても、装着においても、予め施工製作する必要があり、極めて不便である。更に、公知のスプレイの設計は、ミクロ霧の生成を強調し、ファンの送風との結合ができず、クーラーとの使用だけを強調し、コストとクーラーの降温降下は、風速不足により遅く、大きい空間や開放空間の場合は、その効果は、クーラー位置が遠くて、温度差が大きく、よって、如何にして、ミクロスプレイ装置を、簡単な組み立てにし、異なる場所での使用に対応させるかが大きな問題である。
【考案の開示】
【考案が解決しようとする課題】
【０００３】
本考案は、上述の問題を改善する移動式スプレイ装置を提供することを目的とする。
【課題を解決するための手段】
【０００４】
本考案の移動式スプレイ装置は、ファンと貯水箱、及び、ポンプ等を直接、同一の底座上に結合し、組み立てが完成するスプレイ装置で、底座にローラーを設置し、スプレイヘッドは、ファンにより送風スプレイ操作が可能で、安全に任意の位置で使用ができる。
【０００５】
本考案の移動式スプレイ装置は、スプレイ装置とファンを結合し、直接、貯水箱本体上方に挿結し、底部は加圧ポンプ設置空間を残し、底座が簡単に移動できる設計により構成され、構造が小さく、スプレイヘッドがファンの前方に連体され、ファンと貯水箱を一体にし、底部は加圧ポンプ隠蔵式設置により、最も経済的で、且つ、任意の位置での組み立て使用、及び、調整が便利であり、配管と多重装着が容易でないという欠点を改善する。
【考案の効果】
【０００６】
本考案の可動式スプレイ装置構造は、安全に任意の位置に移動して使用できる。    
【考案を実施するための最良の形態】
【０００７】
本考案の可動式スプレイ装置構造は、主に、随時、必要に応じて移動させて、ミクロ霧を生成して散布する装置で、ミクロ霧構造設計は、図１〜図４で示されるように、主に、貯水箱１０を主体とし、通常、硬質のプラスチックスチールで成型され、底部の底座１１は上向けに徐々に縮小する錘状設計で、中空状をなし、前段は貯水槽空間を形成する。内空間は、加圧ポンプ１２、及び、進排水用の管素子を設置し、水箱体の頂部背面は凹槽空間１３を有し、貯水槽頂部はU字型の固定素子１４により、固定管１５を固定し、ファン１６を鎖固する。固定管１５は、四角形、多辺形状、或いは、独立した定位辺面を有する管形に設計され、ファン１６底部の架管１７が相対する辺面と挿合しやすく、簡易組み立ての設計が完成される。更に、ファン１６は不注意に転動する状況が発生せず、安全に移動でき、ファン１６のカバー前縁は直接、環管２０を鎖設して、スプレイノズルヘッド２１を等分に排列し、スプレイを実施する。ファン１６と同体で組み立てし、ミクロ霧の生成後、送風に伴って散布し、広域スプレイが可能である。軟水管２２により直接、環管２０底縁から加圧ポンプ１２の出水端に連結し、スプレイすることができる。錘状の水箱１０の外縁曲線に沿って、パネル素子２３により、直接、頂部の凹槽１３口縁を覆い、その外観を整え、制御回路全部をその中に隠蔵し、実際の操作時のボタン操作がしやすい。また、底座１１の背側部分にローラー２４を設置し、前側は脚架２５を設置し、スプレイ装置全体が平穏に放置され、移動が省力であり、移動操作時に便利である。水箱１０の頂部は取っ手２６を鎖設し、スプレイ装置が簡単に移動でき、これにより、ファン１６は美観であり、また、任意の位置で使用できる。
【０００８】
ミクロスプレイの使用設計に、本考案の簡単な結合と底座１１の可動設計を合わせ、任意の位置で自由に置放使用でき、配管内置の設計により、公知の配管を省略し、使用後、管線収置が難しい状況が解決され、更に、実際の使用時に任意に配置することができ、収置時に、取っ手２６を握って制御するだけで、適当な位置に移動でき、その動作は一人で完成できる。また、ファン架管１７上と固定管１５上に対称な辺面挿合設計があり、方向定位組み立てが便利なだけでなく、更に、ファン１６の移動時に、架管１７を未鎖設なことにより転動や揺動等の安全性に欠ける状況を防止し、効果的に、移動時の安全と安定を確保し、スプレイ用の水管の連接長さは、最短の組み立て長さである。スプレイ構造はファン１６の送風により、ミクロ霧の散布が均一で広域であり、全体の組み合わせ外観も美しく、貯水箱１０は外観曲線が美しく、可動式スプレイの構造が美観で、その構造設計は、同類の商品中、最も経済的、実用的である。
【０００９】
上述のように、本考案の可動式スプレイ装置構造は、特殊な設計の貯水箱により、送風するファン、加圧用ポンプと進排水の配管等を連体鎖設し、移動可能な底座に設置して構成され、任意の位置に移動して使用できる。
【図面の簡単な説明】
【００１０】
【図１】本考案のスプレイ装置の外観図である。
【図２】本考案のスプレイ装置の背面部分の断面図である。
【図３】本考案のスプレイ装置の貯水すプレイの参考図である。
【図４】本考案のスプレイ装置の側面図である。
【符号の説明】
【００１１】
１０  貯水箱
１１  底座
１２  ポンプ
１３  凹槽空間
１４  固定素子
１５  固定管
１６  ファン
１７  架管
２０  環管
２１  スプレイヘッド
２２  軟水管
２３  パネル素子
２４  ローラー
２５  脚架
２６  取っ手
【図１】
0003138120.tif 000003
【図２】
0003138120.tif 000004
【図３】
0003138120.tif 000005
【図４】
0003138120.tif 000006